(57)【要約】【課題】カメラボディ内の配線が簡単でかつ組立の簡単な、信頼性の高いカメラを提供すること。【解決手段】レフケースを光軸方向に駆動する直進ガイドを備えたガイド板１３０の下方にカム板１４０が配設される。さらにカム板１４０の下方にはカム板が配設される基台１５０を介してスプール１７１が配設されている。スプール内に配備されたモータ１７０のリード線をカム板１４０に設けた孔１４４を通してガイド板上方に配設される制御基板側まで引き出し、モータのリード線を制御基板に接続する。【選択図】　　図６
2004038060.tif 000002
【特許請求の範囲】
【請求項１】
焦点距離可変の撮影レンズと、カム機構を介して駆動力を受け取り前記撮影レンズの焦点距離調整の動きに伴って前後方向に移動し撮影に同期して閃光を発光する閃光発光部とを備え、前記撮影レンズを経由して入射した被写体光を写真フィルム上に露光して写真撮影を行うカメラにおいて、
写真フィルムが巻回されるスプールと、
前記スプールの内部に配備された、リード線が接続されたモータと、
前記スプールを上から覆う位置に配備された、前記カム機構を構成するとともに前記リード線が貫通する貫通孔を有するカム板とを備えたことを特徴とするカメラ。
【請求項２】
前記カム板は支持部材に支持されたものであって、
前記支持部材は、前記カム板の貫通孔に挿入された、中央に孔を有するリブを備えたものであり、
前記リード線は、前記リブ中央の孔を貫通することにより前記カム板の貫通孔を貫通するものであることを特徴とする請求項１記載のカメラ。
【発明の詳細な説明】
【０００１】
【発明の属する技術分野】
本発明は、焦点距離可変の撮影レンズと、カム機構を介して駆動力を受け取り前記撮影レンズの焦点距離調整の動きに伴って前後方向に移動し撮影に同期して閃光を発光する閃光発光部とを備え、撮影レンズを経由して入射した被写体光を写真フィルム上に露光して写真撮影を行うカメラに関する。
【０００２】
【従来の技術】
焦点距離可変の撮影レンズによって被写体の写真撮影を行うカメラには、撮影に同期して閃光を発光する閃光発光部も、撮影レンズの焦点距離調整の動きに伴って前後方向に移動するものがある。このようなカメラでは撮影レンズの焦点距離が調整されて広角になった場合には閃光発光部から被写体に向けて広い角度で閃光発光を行えるように配光のバランスが整えられ、撮影レンズの焦点距離が調整されて望遠になった場合には閃光発光を遠方にまで到達させるべく配光のバランスが整えられる。このようにして撮影レンズの動きに応じて閃光発光部が動くようなカメラでは、閃光発光部で配光のバランスを整えることによって、撮影画角から外れた領域への無駄な閃光発光を抑えることによる電力の消費を抑えつつ、より高画質な写真を得ることができる。
【０００３】
上記のような、焦点距離調整を行うときに閃光発光部の配光も調整するカメラにおいては、その焦点距離調整に合わせて閃光発光部を移動させるため、撮影レンズが内蔵されたレンズ鏡胴が駆動されるときの駆動力を、リンク機構、さらには閃光発光部の下部に設けられたカム板を介して受け取ることが多い。閃光発光部はカメラボディ内部の上方、かつカメラボディ背面から見たときの左側に配設されることが多く、どうしてもカム板の配設位置はその閃光発光部の近傍になる。さらにこのカム板はレンズ鏡胴に与えられた駆動力を、リンク機構を介して受け取る位置に配設されなければならないため、その配設位置がカメラボディ内部の上方かつレンズ鏡胴付近に限定されてしまう。また閃光発光部の傾きを抑えて閃光発光部の姿勢を保ったまま直進移動させるためのガイド部材や保持部材等、多数の部材が必要になってくる。このような問題に対処するため特開平７−２９４９７３号公報に記載のものでは閃光発光部が直進動作を行うときのガイド機能を閃光発光部の保持部材に持たせてコストの削減を図ったカメラが紹介されている。上記公報に記載のものではカメラ内に配設される、閃光発光部の保持部材にガイド機能も持たせることにより部材の点数の削減を図り、コンパクトなカメラボディ内に閃光発光部をうまく配設するための提案がなされている。
【０００４】
しかし閃光発光部に限らず、撮影レンズを光軸方向に駆動するためのレンズ鏡胴やギア列を含むフィルム巻取機構といったものもカメラボディ内には配設される。特に上記のようなカメラではレンズ鏡胴と閃光発光装置とが上記リンク機構およびカム板を介してカメラボディ内に配設されるものであるため、ギア列を含むフィルムの巻き取り機構は、閃光発光装置の直進動作やレンズの位置調整を行うレンズ鏡胴の直進動作を邪魔せず、かつカメラボディ内に装填されるフィルムに干渉しない位置としてカメラボディの下方に配設されることが多い。
【０００５】
【発明が解決しようとする課題】
しかしギア列を含むフィルム巻取機構をカメラボディ下方に配設するとなると、フィルム巻取機構の構成要素であるスプールの機構や、給送用モータの配設位置や、給送用モータの動きを制御するための制御基板の配置が問題になり、さらに上記リンク機構および上記カム板の配設位置によっては、制御基板から給送用モータへの配線が非常に複雑になるという問題がある。このような配線の複雑化は組立工数の増大を招くばかりでなく、配線が複雑すぎて組み立てられた製品の信頼性を損なう場合が多い。
【０００６】
以上の事情に鑑み、カメラボディ内の配線が簡単でかつ組立の簡単な、信頼性の高いカメラを提供することを目的とする。
【０００７】
【課題を解決するための手段】
上記目的を達成する本発明のカメラは、焦点距離可変の撮影レンズと、カム機構を介して駆動力を受け取り前記撮影レンズの焦点距離調整の動きに伴って前後方向に移動し撮影に同期して閃光を発光する閃光発光部とを備え、前記撮影レンズを経由して入射した被写体光を写真フィルム上に露光して写真撮影を行うカメラにおいて、
写真フィルムが巻回されるスプールと、
上記スプールの内部に配備された、リード線が接続されたモータと、
上記スプールを上から覆う位置に配備された、上記カム機構を構成するとともに上記リード線が貫通する貫通孔を有するカム板とを備えたことを特徴とする。
【０００８】
上記発明のカメラによれば、上記スプールの内部に配備された、モータが上記カム板によって上から覆われても、カム板を挟んでカム板の下方に配設されたモータのリード線を、カム板の上方に配設される、たとえば制御基板に貫通孔を通して接続することができる。
【０００９】
ここで上記発明のカメラは、上記カム板は支持部材に支持されたものであって、
上記支持部材は、上記カム板の貫通孔に挿入された、中央に孔を有するリブを備えたものであり、
上記リード線は、上記リブ中央の孔を貫通することにより上記カム板の貫通孔を貫通するものであることが好ましい。
【００１０】
このようにカム板の貫通孔に挿入された支持部材のリブ中央の孔を通してリード線が引き出されると、カム板が回転しているときには、リブの中央を通されるリード線と、回転するカム板との接触を防止する防御壁としてリブが作用し、カム板の動作中、非動作中を問わず、リブ中央の孔を通るリード線がカム板に接触することがそのリブによって阻止される。
【００１１】
【発明の実施の形態】
図１は本発明の一実施形態であるカメラ１００の外観を示す図である。
【００１２】
図１に示すようにこのカメラ１００にはレンズ鏡胴１０１がカメラボディから突出するようにして設けられている。このレンズ鏡胴１０１の上方にはファインダ用のファインダ対物窓１２１が設けられており、そのファインダ対物窓１２１の両脇には焦点調節用のＡＦ投光窓１２２とＡＦ受光窓１２３とがそれぞれ設けられている。さらに閃光発光を行うときに閃光発光部で閃光発光される光を透過させるための閃光発光窓１１０ａも設けられている。この閃光発光窓１１０ａには内面に凸レンズとして機能するフレネルレンズが形成されたプロテクタ１１０ｂが嵌め込まれている。
【００１３】
また、このカメラ１００にはレンズ鏡胴１０１内に焦点距離可変の撮影レンズが移動自在に備えられており、レンズ鏡胴１０１が動くことによって広角あるいは望遠に対応する画角での撮影が行えるようになっている。このときにはそのレンズ鏡胴内の焦点距離可変の撮影レンズによって決められた画角内の被写体像がファインダ上に映し出される。こうしてその画角に合わせて閃光発光を行えるように閃光発光部も動かされている。そして、ユーザの撮りたい画角でレリーズ釦１０２が押されたら、そのレリーズ釦１０２が押下されたときにカメラ１００内のＡＦ用投受光器を用いて取得される測距情報に基いて焦点調整が行われる。このカメラ１００ではカメラ内のＡＦ投光器から投光された光がＡＦ投光窓１２２を通して被写体に向けて投光され、被写体に当たって戻ってくる反射光がＡＦ受光窓１２３を通してカメラ内のＡＦ受光器で検出されることによって被写体までの距離の測定が行われる。
【００１４】
このように撮影が行われるときには焦点距離が自動的に調節され、レンズ鏡胴が駆動された後でそのレンズ鏡胴の動きに合わせて撮影画角に応じた閃光発光が行われ、高品位な撮影が行なわれる。
【００１５】
ここで図２を参照して撮影の画角が決められたときにその画角に合わせて駆動される閃光発光部の構成を説明する。
【００１６】
図２は閃光発光部１１０の構成を示す図である。
【００１７】
図２に示すように閃光発光部１１０には、反射傘１１２を支持するレフケース１１１が備えられている。その反射傘１１２に囲まれるようにしてＸｅ管１１３が配設されており、そのＸｅ管１１３もレフケース１１１によって支持されている。
【００１８】
そのレフケース１１１の下方にはこのレフケース１１１を直進動作させるためガイド部材１１４が設けられており、そのガイド部材１１４には直進ガイド用のガイドピンおよび駆動用カムフォロワとして機能するボス１１５と第２のガイドピンとして機能するボス１１６とがそのガイド部材１１４の前方と後方とにそれぞれ設けられている。
【００１９】
一方のボス１１５にはステップ状の段差が設けられており、そのボス１１５の根元の方が直進ガイド用のガイドピン１１５ａとして機能し、先端部の方が駆動用カムフォロワ１１５ｂとして機能するようになっている。
【００２０】
また、そのボス１１５から後方に延設される部分に他方のボス１１６が設けられている。このボス１１６が直進ガイド用の第２のガイドピンとして機能する。
【００２１】
なお、図１に示すようにプロテクタ１１０ｂがレフケース１１０の前面に固定されており、そのプロテクタ１１０ｂに向けてレフケース１１１に支持されるＸｅ管１１３から配光が行われると、Ｘｅ管１１３とプロテクタ１１０ａとの距離に応じて被写体に向けての閃光発光の放射パターンが整えられる。つまり、プロテクタ１１０ｂの近くにレフケース１１１が配置されたときにはＸｅ管１１３からの閃光がプロテクタ１１０ｂに形成されたフレネルレンズの中心付近に照射されるため配光が狭められることがなく、プロテクタ１１０ｂから遠ざかるようにレフケース１１１が配置されたときにはＸｅ管１１３からの閃光がプロテクタ１１０ｂの周縁にまで照射されるため配光が狭められる。したがって、焦点距離可変の撮影レンズの焦点距離が調整されて広角になった場合にはその広角に対応するようにプロテクタ１１０ｂに近い位置にレフケース１１１が駆動され、望遠になった場合にはその望遠に対応するようにプロテクタ１１０ｂから離れた位置にレフケース１１１が駆動される。つまりこのレフケース１１１はプロテクタ１１０ｂに対して前後方向に直進動作するように駆動される。
【００２２】
図３を参照してこのレフケース１１１を前後方向に直進動作させるための機構を説明する。
【００２３】
図３はガイド板に設けられた直進ガイド溝を示す図である。
【００２４】
図３に示すようにこのガイド板１３０にはガイドピン１１５ａと駆動用カムフォロワ１１５ｂとを兼用するボス１１５と、第２のガイドピンとして機能するボス１１６とが嵌入される、略長方形を為す２つの直進ガイド溝１３１、１３２がそれぞれのボスの位置に合うように設けられている。またこれらの直進ガイド溝１３１、１３２が設けられた部分の付近には配線用の貫通孔１３３も設けられている。このガイド板１３０に設けられた２つの直進ガイド溝１３１、１３２にガイドピン１１５ａと駆動用カムフォロワ１１５ｂとを兼用するボス１１５と、第２のガイドピンとして機能するボス１１６とがそれぞれ嵌入されて略長方形を為す直進ガイド溝１３１、１３２の長手方向に沿ってガイドピン１１５ａが動くのでレフケース１１１の直進動作がガイドされる。
【００２５】
このガイド板１３０に設けられた２つの直進ガイド溝１３１、１３２のうち、一方の直進ガイド溝１３１にガイドピン１１５ａと駆動用カムフォロワ１１５ｂとを兼用するボス１１５がこの直進ガイド溝１３１を貫通するようにして配設される。したがってこのボス１１５の根元側にあるガイドピン１１５ａがガイド板１３０に嵌入されるようになる。このボス１１５にはこのガイド板１３０の下方に配設されるカム板１４０のカム溝１４１にまで達するだけの長さを持たせてあるのでボス１１５の根元側にあるガイドピン１１５ａがガイド板１３０を貫通するように配設されるとそのガイド板１３０の先端側にある駆動用カムフォロワ１１５ｂがカム板１４０にまで達する。そうするとそのボス１１５の先端部側の駆動用カムフォロワ１１５ｂがカム板１４０にも係合される。また、他方の直進ガイド溝１３２にはもう一つのボス１１６が配設されるのでそのボス１１６が第２のガイドピンとして機能するように嵌入される。したがって、ガイドピン１１５ａと第２のガイドピンとして機能するボス１１６とがガイド板１３０に嵌入されて、駆動用カムフォロワ１１５ｂがカム板１４０に係合される。また配線用の貫通孔１３３はレフケース１１１の直進動作の妨げにならないところに穿設されている。
【００２６】
ここで、図４を参照してこのレフケース１１１を直進動作させるための駆動力を与えるカム板１４０も説明しておく。
【００２７】
図４はレンズ鏡胴の駆動力を受け取るとともにレフケース１１１に駆動力を与えるカム板１４０を示す図である。図４には配置がわかるようにレフケース１１１とガイド板１３０も示してある。
【００２８】
図４に示すようにカム板１４０は杓文字形で、杓文字の掴手側の部分には略長方形状の孔１４２が穿設されており、レンズ鏡胴を駆動するためのカム板（図５参照）に設けられた貫通孔とともにその孔１４２がレンズ鏡胴側の駆動ピン１６１（図５参照）に係合されている。また、カム板１４０の円盤部の中央には中空円筒状の軸受部１４３が設けられており、この軸受部１４３の中空部１４３ａが基台側に設けられた凸部に係合され、回動自在に軸支される。このカム板１４０にはその軸受部分の付近にもう一つ扇形状の貫通孔１４４が設けられている。この貫通孔１４４にリード線が通され、さらにその上に配設されるガイド板１３０の孔１３３にもリード線が通され、レフケース１１１側にリード線が引き出される。
【００２９】
図５はカム板１４０を閃光発光部１１１側から見た図である。なお、カム板１４０の下方にはカメラボディ側の部材が示されている。
【００３０】
カム板１４０の下方にはフィルム巻取室が配設されており、このフィルム巻取室内にはフィルム巻取用の軸になるスプールが配設されている。そのスプールの中に給送用のモータが配設されている。カメラボディ側のスプール内に配設されたモータのリード線が図５に示すカム板１４０の貫通孔１４４を通され配線され、図５の下方からカム板１４０の貫通孔１４４を通してモータのリード線が引き出されることになる。このようにカム板１４０を通してリード線が引き出されると、カム板１４０が動くときにそのカム板１４０のいずれかの部位がモータのリード線に触れるといったケースが起こらないとも限らない。そこで回転しているカム板１４０が、貫通孔１４４に通されたリード線に触れないように、カム板１４０に設けられた扇形状の孔１４４を貫通するようなリブ１５１がカム板１４０の配設される基台１５０側には設けられている。このリブ１５１はカム板の回転の邪魔をしない位置に、かつカム板の孔１４４に挿入されるように配設されている。このリブ１５１の中央には貫通孔１５２が設けられておりそのリブ１５１の貫通孔１５２にモータのリード線が通される。このリブ１５１がリブ中央に在る貫通孔１５２を通されるリード線とカム板１４０との接触を阻止するように作用する。
【００３１】
当然、基台１５０側の下方に配設されるスプール側の部材にも同様の貫通孔が設けられ、スプール内に配備されたモータのリード線がこれらすべての貫通孔１３３、１４４、１５２を通して引き出されるようになっている。
【００３２】
図６はモータ１７０のリード線が引き出された様子を示した分解図である。図６に示すようにモータ１７０のリード線が、カム板１４０の配設される基台１５０のリブ中央に設けられた貫通孔１５２と、カム板１４０の貫通孔１４４およびガイド板１３０の貫通孔１３３をそれぞれ通して図６の上部にまで引き出される。図６の上方に示したガイド板１３０の上方に制御基板１８０が配設される。
【００３３】
ここでモータのリード線の引き出し方を明確にするためにスプールとモータとギアの配設位置を説明しておく。
【００３４】
図７はカム板が配設される基台１５０とスプール１７１とスプール１７１内に配設されたモータ１７０の配置を示す図である。
【００３５】
モータ１７０はスプール１７１内に配設されている。フィルム巻取用のギア列がそのスプール１７１の下方に配設され、スプール１７１の底部周縁に設けられたギア１７２ｂにそのギア列の先頭のギア１７２ａが噛合している。モータ１７０によってスプール１７１が回転し、その回転力がギア１７２に伝えられるとフィルムカートリッジ内のフィルムがスプール１７１に巻き取られる構造になっている。
【００３６】
なお基台１５０側にはスプール１７１内に外部から光が侵入しないようにラビリンス構造のブッシュが設けられ、このブッシュとカメラ本体側の部材１６０とが協同してスプール１７１内およびフィルム装填部への光の侵入が遮えられる構造になっている。
【００３７】
図８は引き出されたリード線の行方を明確するため、そのリード線の行き先である制御基板１８０を示した図である。
【００３８】
図８に示すようにスプール１７１のモータ１７０から引き出されたリード線１７０ａ、１７０ｂがカム板１４０の貫通孔１４４、さらにはガイド板１３０の孔１３３を通り、制御基板１８０側まで引き出されている。カム板１４０が回転したときにその引き出されたリード線１７０ａ、１７０ｂが制御基板１８０付近で暴れないように束線バンドの役割を担うガイド部１３４，１３５がガイド板１３０には設けられている。これらのガイド部１３４，１３５を通して配線が行われている。これらのガイド部を構成する第１のガイド部１３４は、配線用の貫通孔１３３付近で折り曲げられ、束になったリード線１７０ａ、１７０ｂが通りぬけることができるような枠で構成されており、制御基板１８０側へそれぞれのリード線１７０ａ、１７０ｂが突出しないような構成になっている。さらに２本のリード線１７０ａ、１７０ｂの一本、一本が３つの突起部１３５ａ，１３５ｂ，１３５ｃの間を案内され、制御基板１８０側まで導かれるように第２のガイド部１３５が設けられている。このようにしてカム板１４０が回転してもリード線１７０ａ，１７０ｂの配線状態が乱されないようにリード線１７０ａ，１７０ｂが第１のガイド部１３４および第２のガイド部１３５によって制御基板１８０まで規則正しく引き出されて配線される。
【００３９】
また、制御基板１８０には、所定の部分にだけ半田を流し込むためのランドパターン１８１が複数、設けられている。それらのリード線１７０ａ，１７０ｂの先端それぞれを、それらのランドパターンのうちの異なるランドパターンにそれぞれ接触させ、それらのリード線１７０ａ，１７０ｂの先端をランドパターン部に半田により固定するようになっている。このようにリード線１７０ａ，１７０ｂそれぞれが制御基板の異なるランドパターンそれぞれに固定されるとモータ部の配線が完了し、モータが制御基板１８０にある制御部によって制御されて動作可能になる。
【００４０】
しかし制御基板１８０にある制御部によってレンズ鏡胴が駆動され、連動してカム板１４０が動作することによりカム板１４０の貫通孔１４４を通されたリード線１７０ａ，１７０ｂに力が加えられるようなことがあると、リード線１７０ａ，１７０ｂの配線状態が乱れることが予想される。このような配線状態の乱れにより制御基板１８０のランドパターン１８１がリード線に引っ張られて剥がれるとか、リード線１７０ａ，１７０ｂが外れるといった事態を招くことがある。折角、リード線１７０ａ，１７０ｂがカム板１４０上方に配設された制御基板１８０側までそれぞれの貫通孔１３３，１４４，１５２を通して引き出されても、カム板１４０の動作によりモータのリード線１７０ａ，１７０ｂが何らかの損傷を受けたのでは意味がない。そこでカム板１４０が回転しても基台１５０側に設けられたリブ１５１やガイド板１３０に設けられた第１のガイド部１３４および第２のガイド部１３５といったガイド部によってリード線１７０ａ，１７０ｂの配線状態がガイドされ、それらのリード線が損傷を受けるといったことがないような工夫が施されている訳である。
【００４１】
以上説明したようにフィルム巻取用のギア１７２をカメラボディ内部の下方に配設してカム板１４０をカメラボディ内部の上方に配設して、さらに制御基板１８０をそのカメラボディ内部の上方に配設されたカム板１４０の上方に配設したとしても、制御基板１８０とモータ１７０の間にある部材それぞれに設けた貫通孔１３３，１４４，１５２を通してモータ１７０のリード線１７０ａ、１７０ｂを引き出し、配線を行うと、配線の経路がそれぞれの貫通孔１３３，１４４，１５２やガイド部１３４，１３５によって示され、モータ１７０のリード線１７０ａ，１７０ｂの配線が非常に簡単になるという効果がある。
【００４２】
さらにリブやガイド部によって配線状態が確実にガイドされているのでカム板の回動によってリード線が損傷を受けるといった不具合の起こる割合が極端に減り、カメラが動作している最中でも電気的な接続においては確実な接続状態が保証されるといった効果もある。
【００４３】
また、このように配線が簡単になれば組立に要する時間も削減することができ、組立に係るコストの低減をも果たせるという波及効果もある。
【００４４】
【発明の効果】
本発明によれば、カメラボディ内の配線が簡単でかつ組立の簡単な、信頼性の高いカメラを提供することができる。
【図面の簡単な説明】
【図１】本発明の一実施形態であるカメラの外観を示す図である。
【図２】閃光発光部１１０の構成を示す図である。
【図３】ガイド板に設けられた直進ガイド溝を示す図である。
【図４】レンズ鏡胴の駆動力を受け取るとともにレフケース１１１に駆動力を与えるカム板１４０を示す図である。
【図５】閃光発光部側からカム板１４０を見た図である。
【図６】配線の様子を示した分解図である。
【図７】
カム板が配設される基台とスプールとスプール内に配設されたモータの配置を示す図である。
【図８】図７は引き出されたリード線の行方を明確するため、そのリード線の行き先である制御基板を示した図である。
【符号の説明】
１００　　カメラ
１１０　　閃光発光部
１１０ａ　　閃光発光窓
１１０ｂ　　プロテクタ
１１１　　レフケース
１１２　　反射傘
１１３　　Ｘｅ管
１１４　　取付用の部材
１１５　　ボス
１１５ａ　　ガイドピン
１１５ｂ　　駆動用カムフォロワ
１１６　　ボス
１２１　　ファインダ対物窓
１２２　　ＡＦ投光窓
１２３　　ＡＦ受光窓
１３０　　ガイド板
１３１　　直進ガイド溝
１３２　　直進ガイド溝
１３３　　貫通孔
１４０　　カム板
１４１　　カム溝
１４２　　カム溝
１４３　　軸受部
１４３ａ　　軸受部の中空部
１４４　　貫通孔
１５０　　カム板が配設される基台
１５１　　リブ
１６０　　カメラボディ
１６１　　駆動ピン
１７０　　モータ
１７１　　スプール
１７２　　ギア
１８０　　制御基板
【図１】
2004038060.tif 000003
【図２】
2004038060.tif 000004
【図３】
2004038060.tif 000005
【図４】
2004038060.tif 000006
【図５】
2004038060.tif 000007
【図６】
2004038060.tif 000008
【図７】
2004038060.tif 000009
【図８】
2004038060.tif 000010